(57)【特許請求の範囲】
【請求項１】
入力操作を受け付けるパッドと、該パッドの下に積層され、前記パッドに対する入力操作を検出する基板と、該基板の下に積層された樹脂製のハウジングプレートとを有する操作入力部を金属製のベースプレート上で可動支持した入力装置であって、
前記ベースプレートの上面には、前記基板と前記ハウジングプレートとの間に挿入配置され、前記基板に設けられた導電部と接触する突出片が設けられていることを特徴とする入力装置。
【請求項２】
請求項１記載の入力装置において、
前記操作入力部は、前記基板の導電部と前記ハウジングプレートとの間に前記突出片を挟み込んだ部分を支点として前記ベースプレート上で揺動可能に支持されていることを特徴とする入力装置。
【請求項３】
請求項２記載の入力装置において、
前記ハウジングプレートは、前記基板との間に隙間を形成した弾性片を有し、
前記突出片は、前記基板の導電部と前記ハウジングプレートの弾性片との間に挟み込まれていることを特徴とする入力装置。
【請求項４】
請求項３記載の入力装置において、
前記ベースプレートは、前記突出片との間に隙間を形成した弾性押圧部を有し、
前記弾性押圧部と前記突出片との間に前記ハウジングプレートの弾性片を挟み込み、前記弾性押圧部によって前記弾性片を前記突出片に対して押圧していることを特徴とする入力装置。
【請求項５】
請求項２〜４のいずれか１項に記載の入力装置において、
前記突出片は、前記導電部に接触する面にドーム状の凸部を有することを特徴とする入力装置。
【請求項６】
請求項１〜５のいずれか１項に記載の入力装置において、
前記パッドは、タッチ操作を受け付けるタッチパッドであり、
前記基板は、前記タッチパッドに対するタッチ操作及び前記タッチパッドに対する押下操作を検出可能であることを特徴とする入力装置。
【請求項７】
請求項１〜６のいずれか１項に記載の入力装置と、キーボード装置と、前記入力装置及び前記キーボード装置の入力操作に基づく表示を行うディスプレイ装置とを備えることを特徴とする電子機器。
【請求項８】
入力操作を受け付けるパッドと、該パッドの下に積層され、前記パッドに対する入力操作を検出する基板と、該基板の下に積層された樹脂製のハウジングプレートとを有する操作入力部を金属製のベースプレート上で可動支持した入力装置であって、
前記操作入力部は、前記ベースプレート上で揺動可能に支持されると共に、該操作入力部の揺動支点となる部分で前記基板に設けられた導電部と前記ベースプレートとが接触していることを特徴とする入力装置。
【発明の詳細な説明】
【技術分野】
【０００１】
本発明は、入力操作を受け付ける操作入力部をベースプレート上で可動支持した入力装置及び該入力装置を備える電子機器に関する。
【背景技術】
【０００２】
例えばノートブック型パーソナルコンピュータ（ノート型ＰＣ）では、キーボード装置以外にも、マウスの代替となるタッチパッドやポインティングスティック等の各種入力装置が設けられている。タッチパッドは、指先やペン先でのタッチ操作を受けてディスプレイ装置に表示されたカーソルを操作するものである。
【０００３】
このようなタッチパッドを備えた入力装置に関し、本出願人は特許文献１において、タッチ操作及び押下操作を可能とした構成を提案している。この構成では、タッチパッドのタッチ面に複数の疑似ボタン領域が設定されており、各疑似ボタン領域をタッチしながらタッチパッドを押下操作することで各疑似ボタン領域に対応した入力操作を行うことが可能となっている。
【先行技術文献】
【特許文献】
【０００４】
【特許文献１】特開２０１３−２５４２２号公報
【発明の概要】
【発明が解決しようとする課題】
【０００５】
ところで、上記のように押下操作可能に構成されたタッチパッドのような入力装置では、押下操作によって上下動するタッチパッド部分にタッチ操作を検出する基板を有するため、この部分での静電気対策が必要となる。そこで、基板に設けたグランドライン（ＧＮＤ）と、タッチパッドを上下動可能に支持する金属製のベースプレートとの間をアース線で接続する方法が考えられるが、この方法では部品点数が増加し、その組付作業の工程も多くなってコストが増大する。
【０００６】
本発明は、上記従来技術の課題を考慮してなされたものであり、部品や組付作業のコストを低減しつつ十分な静電気対策が可能となる入力装置及び該入力装置を備える電子機器を提供することを目的とする。
【課題を解決するための手段】
【０００７】
本発明に係る入力装置は、入力操作を受け付けるパッドと、該パッドの下に積層され、前記パッドに対する入力操作を検出する基板と、該基板の下に積層された樹脂製のハウジングプレートとを有する操作入力部を金属製のベースプレート上で可動支持した入力装置であって、前記ベースプレートの上面には、前記基板と前記ハウジングプレートとの間に挿入配置され、前記基板に設けられた導電部と接触する突出片が設けられていることを特徴とする。
【０００８】
このような構成によれば、金属製のベースプレートの突出片が基板とハウジングプレートの間に挟み込まれた状態で基板の導電部と接触しているため、操作入力部の可動状態にかかわらず、導電部と突出片の接触状態が維持される。これにより、基板の導電部と金属製のベースプレートとの間を別途アース線等で接続する必要がなく、部品点数や組付作業の工程を低減してコストを低減しつつも、操作入力部の操作時に生じる静電気を導電部からベースプレートへと円滑に導電させて外部に放電でき、十分な静電気対策を構成することができる。
【０００９】
前記操作入力部は、前記基板の導電部と前記ハウジングプレートとの間に前記突出片を挟み込んだ部分を支点として前記ベースプレート上で揺動可能に支持された構成であってもよい。そうすると、導電部と突出片の接触部分が操作入力部の揺動動作の支点となるため、操作入力部が揺動動作した際の導電部と突出片の接触状態を一層確実に維持することができる。
【００１０】
前記ハウジングプレートは、前記基板との間に隙間を形成した弾性片を有し、前記突出片は、前記基板の導電部と前記ハウジングプレートの弾性片との間に挟み込まれた構成であってもよい。そうすると、ベースプレートの突出片に対してハウジングプレートの弾性片を係合する際、係合させた後、及び操作入力部を揺動動作させた際に、突出片の板厚やその寸法誤差等の影響によって基板とハウジングプレートとの接着面間に生じる力を弾性片で吸収することができる。その結果、基板とハウジングプレートとの間の接着面が剥離することを防止できる。
【００１１】
前記ベースプレートは、前記突出片との間に隙間を形成した弾性押圧部を有し、前記弾性押圧部と前記突出片との間に前記ハウジングプレートの弾性片を挟み込み、前記弾性押圧部によって前記弾性片を前記突出片に対して押圧している構成であってもよい。これにより、操作入力部を揺動させた際に弾性片ががたつくことが防止されるため、操作入力部の揺動動作が一層安定し、導電部とベースプレートの電気的な接続状態がより安定して維持される。
【００１２】
前記突出片は、前記導電部に接触する面にドーム状の凸部を有する構成であってもよい。そうすると、操作入力部を揺動させた場合の導電部と突出片の接触状態が一層確実に維持される。
【００１３】
前記パッドは、タッチ操作を受け付けるタッチパッドであり、前記基板は、前記タッチパッドに対するタッチ操作及び前記タッチパッドに対する押下操作を検出可能な構成であってもよい。
【００１４】
本発明に係る電子機器は、上記構成の入力装置と、キーボード装置と、前記入力装置及び前記キーボード装置の入力操作に基づく表示を行うディスプレイ装置とを備えることを特徴とする。
【００１５】
また、本発明に係る入力装置は、入力操作を受け付けるパッドと、該パッドの下に積層され、前記パッドに対する入力操作を検出する基板と、該基板の下に積層された樹脂製のハウジングプレートとを有する操作入力部を金属製のベースプレート上で可動支持した入力装置であって、前記操作入力部は、前記ベースプレート上で揺動可能に支持されると共に、該操作入力部の揺動支点となる部分で前記基板に設けられた導電部と前記ベースプレートとが接触していることを特徴とする。
【００１６】
このような構成によれば、操作入力部の揺動支点となる部分で導電部とベースプレートとが接触しているため、操作入力部の可動状態にかかわらず、導電部と突出片の接触状態が維持される。これにより、基板の導電部と金属製のベースプレートとの間を別途アース線等で接続する必要がなく、部品点数や組付作業の工程を低減してコストを低減しつつも、操作入力部の操作時に生じる静電気を導電部からベースプレートへと円滑に導電させて外部に放電でき、十分な静電気対策を構成することができる。
【発明の効果】
【００１７】
本発明によれば、基板の導電部と金属製のベースプレートとの間を別途アース線等で接続する必要がなく、部品点数や組付作業の工程を低減してコストを低減しつつも、操作入力部の操作時に生じる静電気を導電部からベースプレートへと円滑に導電させて外部に放電でき、十分な静電気対策を構成することができる。
【図面の簡単な説明】
【００１８】
【図１】図１は、本発明の一実施形態に係る入力装置を備えた電子機器の斜視図である。
【図２】図２は、本発明の一実施形態に係る入力装置の構成を模式的に示す側面断面図である。
【図３】図３は、図２に示す入力装置の斜視図である。
【図４】図４は、図３に示す入力装置の要部を拡大した分解斜視図である。
【図５】図５は、タッチパッド及びベースプレートの後端側を拡大して模式的に示した断面斜視図である。
【図６】図６は、タッチパッド及びベースプレートの後端側を拡大して模式的に示した側面断面図であり、図６（Ａ）は、タッチパッドを押下操作していない状態を示す図であり、図６（Ｂ）は、タッチパッドを押下操作した状態を示す図である。
【発明を実施するための形態】
【００１９】
以下、本発明に係る入力装置について、この入力装置を備える電子機器との関係で好適な実施の形態を挙げ、添付の図面を参照しながら詳細に説明する。
【００２０】
図１は、本発明の一実施形態に係る入力装置１０を備えた電子機器１２の斜視図である。以下では、入力装置１０について図１に示す電子機器１２での使用形態を基準とし、手前側を前側（前方）、奥側を後側（後方）と呼び、電子機器１２を構成する本体筐体１４の厚み方向を上下方向、幅方向を左右方向と呼んで説明する。
【００２１】
図１に示すように、電子機器１２は、入力装置１０及びキーボード装置１６を有する本体筐体１４と、液晶ディスプレイ等のディスプレイ装置１８ａを有するディスプレイ筐体１８とを備えたノート型ＰＣである。ディスプレイ筐体１８は、左右一対のヒンジ１９，１９により本体筐体１４に対して開閉可能に連結されている。
【００２２】
本体筐体１４の内部には、図示しない基板、演算処理装置、ハードディスク装置、メモリ等の各種電子部品が収納されている。入力装置１０及びキーボード装置１６は、本体筐体１４の上面１４ａで前後に並んでいる。キーボード装置１６の略中央にはポインティングスティック２０が設けられている。ポインティングスティック２０はディスプレイ装置１８ａに表示されるカーソル（マウスポインタ）を操作するためのものであり、マウスの代わりとして操作可能な入力手段である。
【００２３】
本実施形態では、上記のようなノート型ＰＣである電子機器１２に対して入力装置１０を搭載した構成を例示するが、入力装置１０はデスクトップ型ＰＣ等に接続される単体のキーボード装置等に搭載されてもよい。
【００２４】
次に、入力装置１０の構成例について説明する。
【００２５】
図２は、本発明の一実施形態に係る入力装置１０の構成を模式的に示す側面断面図であり、図３は、図２に示す入力装置１０の斜視図である。
【００２６】
図１及び図２に示すように、入力装置１０は、指先等の接近又は接触によるタッチ操作を受け付けるタッチパッド（操作入力部）２２と、タッチパッド２２の後縁部に沿って並んだ３個の押しボタン２４ａ，２４ｂ，２４ｃとを備える。図２及び図３に示すように、タッチパッド２２及び押しボタン２４ａ〜２４ｃは、金属製の板状部材であるベースプレート２６の上面側に支持されている。
【００２７】
先ず、押しボタン２４ａ〜２４ｃは、ポインティングスティック２０又はタッチパッド２２によるカーソル操作と連係して機能するものであり、それぞれ一般的なマウスでの左ボタン、中央ボタン、右ボタンに対応するクリック操作ボタンである。押しボタン２４ａ〜２４ｃはタッチパッド２２の前縁側に配置されてもよく、タッチパッド２２との間に本体筐体１４のフレームを介在して配置されてもよい。
【００２８】
図２に示すように、各押しボタン２４ａ〜２４ｃは、その後端縁部２８がベースプレート２６の後端縁部に立脚形成された支持片３０に対して回動可能に係合されることで、後端縁部２８を支点として揺動可能である。従って、各押しボタン２４ａ〜２４ｃの前端側を押下操作するとその内側に配設されたラバードーム３２が圧縮され、これによりベースプレート２６の上面に設けられたメンブレンスイッチ等の図示しないスイッチがオンされる。
【００２９】
次に、タッチパッド２２は、タッチ操作に加えて押下操作によるクリック動作が可能なクリックパッドとして構成されている。
【００３０】
図１に示すように、タッチパッド２２の表面であるタッチ操作面２２ａの前側には、疑似ボタン領域３４ａ，３４ｂが設定されている。疑似ボタン領域３４ａ，３４ｂは、タッチ操作面２２ａ上でのそれぞれの領域が座標で定義されたものであり、視認できるものではない。疑似ボタン領域３４ａ，３４ｂのいずれかに指先を接触させた状態でタッチパッド２２を押下操作すると、その疑似ボタン領域３４ａ，３４ｂに対応した処理や表示が行われる。例えば、２つの疑似ボタン領域３４ａ，３４ｂは、それぞれ一般的なマウスでの左ボタン、右ボタンに対応する。
【００３１】
図２に示すように、タッチパッド２２は、ベースプレート２６に対面配置される底面板となるハウジングプレート４０と、ハウジングプレート４０の上面に積層され、タッチ操作面２２ａに対するタッチ操作を検出する基板プレート（基板）４２と、基板プレート４２の上部に積層され、その表面がタッチ操作を受け付けるタッチ操作面２２ａとなるパッドプレート（パッド）４４とを有する３層構造である。なお、図３では、基板プレート４２及びパッドプレート４４を省略して図示している。
【００３２】
基板プレート４２は平面視矩形状の基板であり、パッドプレート４４へのタッチ操作及びタッチパッド２２に対する押下操作を検出するセンサである。基板プレート４２は、図示しない配線によって本体筐体１４内の基板に接続されている。また、基板プレート４２には、押しボタン２４ａ〜２４ｃからの図示しない配線が接続されている。パッドプレート４４は平面視矩形状のガラス板や樹脂板であり、基板プレート４２の上面に接着剤や両面テープ等によって固着されている。基板プレート４２の後端側下面には、左右方向に沿って延在する帯状の導電板であるグランドラインＧが設けられている（図２及び図５参照）。
【００３３】
図２及び図３に示すように、ハウジングプレート４０は平面視矩形状の樹脂板であり、基板プレート４２及びパッドプレート４４を保持する筐体部材である。ハウジングプレート４０の上面には基板プレート４２が接着剤や両面テープ等によって固着されている。ハウジングプレート４０の後端には、押しボタン２４ａ〜２４ｃの前端面に近接した後下がりの傾斜面４０ａが形成されている。このような傾斜面４０ａを設けたことにより、押しボタン２４ａ〜２４ｃの押下操作時にタッチパッド２２が邪魔になることがない。
【００３４】
図４は、図３に示す入力装置１０の要部を拡大した分解斜視図であり、ハウジングプレート４０に設けられた弾性片４６とベースプレート２６に設けられた突出片５０の係合構造を示す図である。図５は、タッチパッド２２及びベースプレート２６の後端側を拡大して模式的に示した断面斜視図である。また、図６は、タッチパッド２２及びベースプレート２６の後端側を拡大して模式的に示した側面断面図であり、図６（Ａ）は、タッチパッド２２を押下操作していない状態を示す図であり、図６（Ｂ）は、タッチパッド２２を押下操作した状態を示す図である。なお、図５では図面の見易さを確保するため、パッドプレート４４を省略し、基板プレート４２のハッチングを省略して図示している。
【００３５】
図３〜図５に示すように、ハウジングプレート４０の傾斜面４０ａの前側には、後方に向かって延びた弾性片４６が左右一対設けられている。弾性片４６は、その左右両側部及び後部を板厚方向に切り欠いて狭幅舌片状に形成されることで、ある程度の弾性を有した片持ち構造の部分である。弾性片４６の先端（後端）には、下方に湾曲しつつ位置ずれした爪部４６ａが設けられている。弾性片４６は、基板プレート４２の下面に対して固着されず且つ少なくとも爪部４６ａが基板プレート４２との間に所定の隙間を設けて配設されることで、爪部４６ａの上面と基板プレート４２の下面との間に後述するベースプレート２６の上面を切り起こして形成した突出片５０を挟み込む。
【００３６】
さらに、ハウジングプレート４０の傾斜面４０ａの前側には、弾性片４６の爪部４６ａと略同様な形状を有して後方に短く延びた係合片４７が複数（本実施形態では４個）設けられている。各係合片４７もベースプレート２６から切り起こされた各突出片５０に対して係合されている（図２及び図３参照）。
【００３７】
図２及び図３に示すように、ハウジングプレート４０の前端側には、ラッチ部５２が左右一対設けられている。各ラッチ部５２は平面視略Ｖ字形状であり、ベースプレート２６の上面で断面Ｌ字状に起立形成された結合用フック５４に係合される。これらラッチ部５２及び結合用フック５４はベースプレート２６に対してハウジングプレート４０を重ねる方向に結合する部分であると共に、タッチパッド２２の上昇限度を規定すると同時に上方への抜け止めとしても機能する。
【００３８】
ハウジングプレート４０は、各弾性片４６及び各係合片４７がベースプレート２６の各突出片５０に対してそれぞれ回動可能に係合されることで、この係合部分を支点とし、ハウジングプレート４０（タッチパッド２２）がベースプレート２６に対して揺動可能である。なお、本実施形態の場合には図示しないガイド構造により、ハウジングプレート４０がベースプレート２６に対して上下方向にガイドされているため、ハウジングプレート４０は各弾性片４６及び各係合片４７の各突出片５０に対する係合部分が多少前後に移動しつつ上下動する構成となっている。
【００３９】
図２に示すように、ハウジングプレート４０の下面略中央の前端付近には、検出スイッチ５５が配設されている。検出スイッチ５５は、タッチパッド２２が押下操作された際に所定の検出信号を発信するものである。検出スイッチ５５は、例えばハウジングプレート４０の下面から下に向かって膨らんだメタルドームスイッチであり、タッチパッド２２が押下された際にベースプレート２６上に当接することでオンされ、このオン信号が基板プレート４２によって検出される。
【００４０】
図３〜図５に示すように、ベースプレート２６の上面には突出片５０が起立形成されている。突出片５０は、ベースプレート２６の一部を上方に切り起こすと共にその上端に後方に向かって屈曲された当接板５０ａを有し、側面視コ字状に形成されている。突出片５０の当接板５０ａの上面には、上に向かって膨らんだドーム状の凸部５０ｂが設けられている。突出片５０は、ハウジングプレート４０の各弾性片４６及び各係合片４７に対応する位置にそれぞれ設けられている（図３参照）。つまり、本実施形態では、ベースプレート２６の後端側の左右方向に沿って複数（６個）の突出片５０が並んでいる。
【００４１】
各突出片５０のうち、一対の弾性片４６に対応する一対の突出片５０，５０の下方には、ベースプレート２６の上面に形成された弾性押圧部５６がそれぞれ配置されている。図４及び図５に示すように、弾性押圧部５６は、ハウジングプレート４０の弾性片４６と同様、その左右両側部及び後部を板厚方向に切り欠いて狭幅舌片状に形成されることで、ある程度の弾性を有して後方へと延びた片持ち構造の部分である。図５及び図６に示すように、弾性押圧部５６は、その先端がベースプレート２６の上面よりも上方に位置している。つまり、弾性押圧部５６は、ベースプレート２６の上面から上方に向かって折り曲げられた板ばね状部材であり、弾性片４６を当接板５０ａの下面に対して押圧する。
【００４２】
従って、本実施形態に係る入力装置１０では、図５及び図６（Ａ）に示すように、タッチパッド２２とベースプレート２６の後端側では、ベースプレート２６の突出片５０の当接板５０ａがハウジングプレート４０の弾性片４６の爪部４６ａの上面と基板プレート４２の下面との間に挟み込まれ、さらに弾性片４６の爪部４６ａが当接板５０ａの下面と弾性押圧部５６の上面との間に挟み込まれた２重のサンドイッチ構造が構築されている。この際、ベースプレート２６の突出片５０の当接板５０ａの上面に形成された凸部５０ｂの頂面が基板プレート４２の下面に設けられたグランドライン（導電板）Ｇと接触した状態とされている。その結果、タッチパッド２２は、基板プレート４２のグランドラインＧとハウジングプレート４０の弾性片４６との間にベースプレート２６の突出片５０を挟み込んだ部分を支点とし、ベースプレート２６上で揺動可能な状態で支持されている。
【００４３】
先ず、図６（Ａ）に示すようにタッチパッド２２が押下操作されていない状態では、タッチパッド２２とベースプレート２６との間に上記した２重のサンドイッチ構造が構築されている。これにより、ハウジングプレート４０の弾性片４６の爪部４６ａと基板プレート４２の下面に設けられたグランドラインＧとの間にベースプレート２６の突出片５０の当接板５０ａが挟持され、グランドラインＧとベースプレート２６の間が電気的に接続された状態にある。このため、タッチパッド２２の操作時に生じる静電気をグランドラインＧからベースプレート２６へと円滑に導電させることができ、ベースプレート２６を介して電子機器１２の本体筐体１４から外部へと放電することができる。
【００４４】
続いて、図６（Ｂ）に示すようにタッチパッド２２を押下操作した場合、タッチパッド２２は、基板プレート４２のグランドラインＧとハウジングプレート４０の弾性片４６との間にベースプレート２６の突出片５０を挟み込んだ部分での各部材の接触点を支点とし、ベースプレート２６上で前端側が下方へと移動しつつ揺動する。これにより、ハウジングプレート４０の前端側下面に設けられた検出スイッチ５５がベースプレート２６の上面で押圧されてオンされる。
【００４５】
このようなタッチパッド２２の押下操作時にもタッチパッド２２とベースプレート２６との間には上記した２重のサンドイッチ構造が維持されている（図６（Ｂ）参照）。すなわち、タッチパッド２２の押下操作中にも、弾性片４６の爪部４６ａとグランドラインＧとの間での当接板５０ａの挟持状態が常に維持されるため、タッチパッド２２に生じる静電気をグランドラインＧからベースプレート２６へと円滑に放電することができる。なお、突出片５０の当接板５０ａの上面にはドーム状の凸部５０ｂが設けられているため、タッチパッド２２を押下操作して揺動させた場合であってもグランドラインＧと突出片５０の接触状態が一層確実に維持される。
【００４６】
以上のように、本実施形態に係る入力装置１０では、入力操作を受け付けるパッドプレート４４と、パッドプレート４４の下に積層され、パッドプレート４４に対する入力操作を検出する基板プレート４２と、基板プレート４２の下に積層された樹脂製のハウジングプレート４０とを有する操作入力部であるタッチパッド２２を金属製のベースプレート２６上で可動支持した構成において、ベースプレート２６の上面には、基板プレート４２とハウジングプレート４０との間に挿入配置され、基板プレート４２に設けられた導電部であるグランドラインＧと接触する突出片５０が設けられている。
【００４７】
従って、タッチパッド２２の押下操作の有無にかかわらず、金属製のベースプレート２６の突出片５０が基板プレート４２とハウジングプレート４０の間に挟み込まれた状態で基板プレート４２のグランドラインＧと接触している（図６（Ａ）及び図６（Ｂ）参照）。これにより、基板プレート４２のグランドラインＧと金属製のベースプレート２６との間を別途アース線で接続する必要がなく、部品点数や組付作業の工程を低減し、コストを低減することができる。しかも、グランドラインＧとベースプレート２６の突出片５０との間はタッチパッド２２の押下操作の有無にかかわらず常に接触して電気的な接続状態にあるため、タッチパッド２２の操作時に生じる静電気をグランドラインＧからベースプレート２６へと円滑に導電させ、外部に放電することができる。
【００４８】
換言すれば、本実施形態に係る入力装置１０において、操作入力部となるタッチパッド２２は、ベースプレート２６上で揺動可能に支持されると共に、その揺動支点となる部分で基板プレート４２に設けられたグランドラインＧとベースプレート２６とが接触している。これにより、アース線等の別部品を追加することなく、タッチパッド２２の押下操作の有無にかかわらず常にグランドラインＧとベースプレート２６とを接触させて電気的な接続状態を維持することができる。
【００４９】
当該入力装置１０において、ハウジングプレート４０は、基板プレート４２との間に隙間を形成した弾性片４６を有し、突出片５０は基板プレート４２のグランドラインＧとハウジングプレート４０の弾性片４６との間に挟み込まれている。これにより、ベースプレート２６の突出片５０に対してハウジングプレート４０の弾性片４６を係合する際、係合させた後、及びタッチパッド２２を押下操作して揺動させた際に、突出片５０の当接板５０ａの板厚やその寸法誤差等の影響によって基板プレート４２とハウジングプレート４０との接着面間に生じる力を弾性片４６で吸収することができる。その結果、基板プレート４２とハウジングプレート４０との間の接着面が剥離することを防止できる。
【００５０】
当該入力装置１０において、ベースプレート２６は、突出片５０との間に隙間を形成した弾性押圧部５６を有し、弾性押圧部５６と突出片５０との間にハウジングプレート４０の弾性片４６を挟み込み、弾性押圧部５６によって弾性片４６を突出片５０に対して押圧している。すなわち、ハウジングプレート４０の弾性片４６の爪部４６ａが突出片５０の当接板５０ａの下面と弾性押圧部５６との間に挟持されているため、タッチパッド２２を押下操作して揺動させた際、弾性片４６ががたつくことが防止される。その結果、タッチパッド２２の揺動動作が一層安定し、グランドラインＧとベースプレート２６の電気的な接続状態がより安定して維持される。
【００５１】
なお、本発明は、上記した実施形態に限定されるものではなく、本発明の主旨を逸脱しない範囲で自由に変更できることは勿論である。
【００５２】
例えば上記実施形態では、ベースプレート２６に設けられた複数の突出片５０のうちの一部の突出片５０に対応するようにハウジングプレート４０に弾性片４６を設け、またベースプレート２６に弾性押圧部５６を設け、他の突出片５０に対してはハウジングプレート４０の係止片４７を係合する構成としたが、全ての突出片５０に対して弾性片４６及び弾性押圧部５６を対応配置した構成としても勿論よい。
【００５３】
また本発明は、タッチパッド２２をベースプレート２６上で可動支持したクリックパッド以外の入力装置にも適用可能である。
【符号の説明】
【００５４】
１０  入力装置
１２  電子機器
１４  本体筐体
１６  キーボード装置
１８  ディスプレイ筐体
１８ａ  ディスプレイ装置
２０  ポインティングスティック
２２  タッチパッド
２２ａ  タッチ操作面
２４ａ〜２４ｃ  押しボタン
２６  ベースプレート
４０  ハウジングプレート
４２  基板プレート
４４  パッドプレート
４６  弾性片
４６ａ  爪部
４７  係合片
５０  突出片
５０ａ  当接板
５０ｂ  凸部
５５  検出スイッチ
５６  弾性押圧部
Ｇ  グランドライン
【要約】
【課題】部品や組付作業のコストを低減しつつ十分な静電気対策が可能となる入力装置及び該入力装置を備える電子機器を提供する。
【解決手段】入力装置１０は、入力操作を受け付けるパッドプレート４４と、パッドプレート４４の下に積層され、パッドプレート４４に対する入力操作を検出する基板プレート４２と、基板プレート４２の下に積層された樹脂製のハウジングプレート４０とを有する操作入力部であるタッチパッド２２を金属製のベースプレート２６上で可動支持した構成であり、ベースプレート２６の上面には、基板プレート４２とハウジングプレート４０との間に挿入配置され、基板プレート４２に設けられた導電部であるグランドラインＧと接触する突出片５０が設けられている。
【選択図】図６【図１】
0005923648.tif 000002
【図２】
0005923648.tif 000003
【図３】
0005923648.tif 000004
【図４】
0005923648.tif 000005
【図５】
0005923648.tif 000006
【図６】
0005923648.tif 000007